(57)【特許請求の範囲】
【請求項１】
表示パネル部とキーボード部とをヒンジ部を介して開閉可能に折り畳む構造を有する携帯型電子機器において、携帯型電子機器の使用時に該機器自体が、開放された前記表示パネル部側に傾倒するのを防止するためのスタンド構造であって、
前記キーボード部の底面にあって、開放された前記表示パネル部側に回動可能に設けられるスタンド部材と、
前記キーボード部の底面に形成され、該スタンド部材の不使用時において該スタンド部材を収納する収納部と、
から構成され、
前記スタンド部材は、
前記キーボード部の底面および該回動されたスタンド部材の端部が接地された状態において、前記キーボード部のスタンド部材側の端部が接地面から所定間隙をもって離間される位置で回動を規制する回動規制手段と、
前記回動規制手段によって回動が規制された状態において、キーボード部のスタンド部材側の端部と接地面との間隙にあって、該接地面と微小な距離を置いて対向する突起部と、
を有することを特徴とする折り畳み式携帯型電子機器のスタンド構造。
【請求項２】
前記突起部は、前記スタンド部材の幅方向の両端部に形成されることを特徴とする請求項１に記載の折り畳み式携帯型電子機器のスタンド構造。
【請求項３】
前記突起部は、前記スタンド部材の幅方向の全幅に亘って形成されることを特徴とする請求項１に記載の折り畳み式携帯型電子機器のスタンド構造。
【請求項４】
前記スタンド部材は、弾性材料で形成され、前記突起部は一体的に形成されていることを特徴とする請求項１から請求項３の何れかに記載の折り畳み式携帯型電子機器のスタンド構造。
【請求項５】
前記キーボード部の底面には、前記スタンド部材の不使用時において前記突起部を収納する収納部が形成されることを特徴とする請求項１から請求項４の何れかに記載の折り畳み式携帯型電子機器のスタンド構造。
【発明の詳細な説明】
【０００１】
【発明の属する技術分野】
本発明は、表示パネル部とキーボード部とをヒンジ部を介して開閉可能に折り畳む構造を有する携帯型電子機器において、携帯型電子機器の使用時に該機器自体が、開放された前記表示パネル部側に傾倒するのを防止するためのスタンド構造に関する。
【０００２】
【従来の技術】
従来から携帯型電子機器の一種として、図６（ａ）に示すように、液晶パネルからなる表示パネル部１０とキーボード部２０とをヒンジ部３０を介して開閉可能に折り畳む構造を有する電子辞書装置Ｅ、電子メール入力装置やＰＤＡ（Personal Digital Assistants）などがある。
【０００３】
これらの畳み式携帯型電子機器（以下、単に携帯型電子機器という）は、不使用時にはヒンジ部３０を介して表示パネル部１０とキーボード部２０とが重なり合うように閉じて、携帯に便利な形にすると共に、表示パネル部１０のパネル面の損傷防止およびキーボード部２０のキーの誤操作を防止するようになっている。
【０００４】
そして、使用時には、ヒンジ部３０を介して表示パネル部１０を回動させて起立させ、キーボード部２０の底面２０Ａをテーブル等の平面Ｔに接地させて操作するようになっている。
【０００５】
【発明が解決しようとする課題】
ところで、ノート型パーソナルコンピュータ等においては、表示パネル部の回動角度を所望の位置で停止させる機構が設けられているが、比較的安価で簡易な構成を有する電子辞書装置Ｅ等の携帯型電子機器では、上記のように表示パネル部を所望の位置で停止させる機構が省略され、図６（ａ）に示すように、予め定められた回動角度まで表示パネル部１０を倒して使用する構成となっている場合が多い。
【０００６】
一方、電子辞書装置Ｅ等の携帯型電子機器の表示パネル部１０は、液晶パネルの低価格化および文字等の視認性を向上させ得る大画面化の要望に伴って、画面サイズが比較的大きい液晶パネルが採用される傾向にある。
【０００７】
そして、このような表示パネル部１０の大型化に伴い、電子辞書装置Ｅ等の携帯型電子機器の重量バランスが、キーボード部２０に比して表示パネル部１０の方が大きくなってしまい、例えば図６（ｂ）に示すように、表示パネル部１０が自重で後方側（図６では右側）へ倒れ、キーボード部２０が接地面Ｔから浮き上がってしまうという問題を生じる。
【０００８】
この発明は、上記問題点を解決すべく案出されたものであり、表示パネル部が大型化しても、携帯型電子機器の使用時に、開放された表示パネル部側に傾倒してしまうのを防止できるスタンド構造を提供することを目的としている。
【０００９】
【課題を解決するための手段】
上記目的を達成するために、本発明は、表示パネル部（１０）とキーボード部（２０）とをヒンジ部（３０）を介して開閉可能に折り畳む構造を有する携帯型電子機器（電子辞書装置Ｅ）において、携帯型電子機器の使用時に該機器自体が、開放された前記表示パネル部側に傾倒するのを防止するためのスタンド構造（Ｓ）であって、前記キーボード部の底面（２０Ａ）にあって、開放された前記表示パネル部側に回動可能に設けられるスタンド部材（１）と、前記キーボード部の底面に形成され、該スタンド部材の不使用時において該スタンド部材を収納する収納部（２）とから構成され、前記スタンド部材は、前記キーボード部の底面および該回動されたスタンド部材の端部が接地された状態において、前記キーボード部のスタンド部材側の端部が接地面（Ｔ）から所定間隙をもって離間される位置で回動を規制する回動規制手段（回動規制部２０ａ）と、前記回動規制手段によって回動が規制された状態において、キーボード部のスタンド部材側の端部（１ｃ）と接地面との間隙にあって、該接地面と微小な距離を置いて対向する突起部（１ｂ）とを有するようにした。
【００１０】
これにより、携帯型電子機器の使用時に、キーボード部の底面に設けられたスタンド部材を回動させて、前記キーボード部の底面および回動されたスタンド部材の端部を接地させた状態とすることにより、重量バランスがキーボード部に比して表示パネル部の方が大きくなっている場合でも、携帯型電子機器自体が開放された表示パネル部側に傾倒してしまうのを防止することができる。また、スタンド部材は接地面と微小な距離を置いて対向する突起部を有しているので、携帯型電子機器の使用時に上方から不用意な力が加わった場合にも、この突起部の先端が接地面と当接して力を吸収することにより、スタンド部材自体が破損することを防止することができる。
【００１１】
また、望ましくは、前記突起部は、前記スタンド部材の幅方向の両端部に形成されるようする。これにより、簡易かつ安価に突起部を有するスタンド部材を構成することができる。
【００１２】
また、前記突起部は、前記スタンド部材の幅方向の全幅に亘って形成されるようにしてもよい。これにより、突起部によってスタンド部材の幅方向の全幅に亘って上方からの力を吸収、分散させることができ、より確実にスタンド部材自体の破損を防止することができる。
【００１３】
また、前記スタンド部材は、弾性材料で形成され、前記突起部は一体的に形成するとよい。これにより、簡易な工程で安価に突起部を有するスタンド部材を形成することができる。
【００１４】
また、前記キーボード部の底面には、前記スタンド部材の不使用時において前記突起部を収納する収納部を形成しておくようにするとよい。これにより、不使用時に底面の邪魔な突起が露出しないようにできる。
【００１５】
【発明の実施の形態】
以下、本発明の好適な実施形態を図面に基づいて説明する。
【００１６】
図１は本実施形態に係るスタンド構造を備える折り畳み式携帯型電子機器を示す平面図、図２はその側面図、図３はスタンド構造の要部を示す底面図、図４はスタンド構造の構成および動作を示す側面図、図５はスタンド構造の他の実施形態を示す底面図である。
【００１７】
図１に示されている折り畳み式携帯型電子機器は、例えば英和辞典、和英辞典、国語辞典等を電子データとしてＲＯＭ等に格納して検索、閲覧可能ないわゆる電子辞書装置Ｅであり、表示部としての表示パネル部１０と、キー操作を行うキーボード部２０と、表示パネル部１０とキーボード部２０を回動可能に接続するヒンジ部３０とから構成されている。
【００１８】
表示パネル部１０には、モノクロあるいはカラーの液晶パネル装置Ｐが内蔵されている。キーボード部２０の表面側には、多数の入力キー２１が配列されている。
【００１９】
また、本実施形態では、表示パネル部１０の下端側およびキーボード部２０の後端側にヒンジ部３０が設けられている。そして、このヒンジ部３０を介して、図２の矢印Ｍで示すようにキーボード部２０に対して表示パネル部１０を回動させて開閉できるようになっている。
【００２０】
また、キーボード部２０のヒンジ部３０近傍位置には、図２に示すように、表示パネル部１０の一部と当接して、表示パネル部１０の回動を所定の角度で規制する回動規制手段としての回動規制部２０ａが形成されている。
【００２１】
本実施形態に係るスタンド構造Ｓは、図３に示すように、キーボード部２０の底面２０Ａ側に設けられている。
【００２２】
スタンド構造Ｓは、軸受部１ａに軸支される回転軸３により、開放された表示パネル部１０側に回動可能に取り付けられるプラスチック製のスタンド部材１と、キーボード部２０の底面２０Ａに形成され、スタンド部材１の不使用時においてそのスタンド部材１を収納する収納部２とから構成されている。
【００２３】
本実施形態において、スタンド部材１は、図３に示すように略コ字状に形成され、そのスタンド部材１を収納する収納部２も同様に略コ字状に形成されている。
【００２４】
また、スタンド部材１の軸受部１ａには、回動された際に露出する側の軸受部１ａの近傍位置に突起部１ｂが形成されている。この突起部１ｂは、図２に示すように、スタンド部材１が回動され、キーボード部２０の底面２０Ａとスタンド部材１の端部１ｃがテーブル等の平面Ｔに接地された際に、接地面Ｔと微小な距離（例えば、０．５ｍｍ程度）を置いて対向する高さに設定されている。
【００２５】
また、キーボード部２０の底面２０Ａのスタンド部材１が設けられた側の端部には、図２および図４（ｂ）に示すように、スタンド部材１の端部１ｃが接地された状態において、キーボード部２０のスタンド部材１側の端部が接地面Ｔから所定間隙（例えば３ｍｍ程度）をもって離間される位置で回動を規制する回動規制手段としての回動規制部２０ｂが形成されている。
【００２６】
また、キーボード部２０の底面２０Ａのスタンド部材１が設けられた側の端部には、スタンド部材１が収納部２に収納された状態において、突起部１ｂを収納する突起部収納部２ａが形成されている（図４参照）。
【００２７】
次に、上記構成のスタンド構造Ｓの使用方法について説明する。
【００２８】
まず、折り畳み式携帯型電子機器としての電子辞書装置Ｅの表示パネル部１０をキーボード部２０に対してヒンジ部３０を介して回動させ、図１のような使用可能な状態にする。次いで、図３（ａ）および図４（ａ）に示すように、スタンド部材１が収納部２に収納された状態から、スタンド部材１を引き起こして、回動規制部２０ｂに当接するまで回動させる（図３（ｂ），図４（ｂ）参照）。
【００２９】
そして、図２に示すように、キーボード部２０の底面２０Ａとスタンド部材１の端部１ｃが接地されるようにテーブル等の平面Ｔに電子辞書装置Ｅを載置する。
【００３０】
この載置状態において、電子辞書装置Ｅは、スタンド部材１によって、開放された表示パネル部１０側への傾倒が防止されるので、例えば重量バランスがキーボード部２０に比して表示パネル部１０の方が大きくなっている場合でも、電子辞書装置Ｅ自体が開放された表示パネル部１０側に倒れてしまう事態を防止することができ、使用時の安定性を高めることができる。
【００３１】
また、スタンド部材１は、接地面と微小な距離を置いて対向する突起部１ｂを有しているので、電子辞書装置Ｅの使用時に上方から不用意な力（例えば、キーボード部２０を上方から誤って手で押し付けてしまった場合の押圧力）が加わった場合にも、この突起部１ｂの先端が接地面Ｔと当接して押圧力を吸収することにより、スタンド部材１自体が破損することを防止することができる。
【００３２】
次に、図５を参照して、他の実施形態に係るスタンド構造Ｓ’について説明する。なお、上記スタンド構造Ｓの場合と同じ構成については同じ符号を付して詳細な説明は省略する。
【００３３】
スタンド構造Ｓ’では、スタンド部材１’の幅方向の全幅に亘って梁状に突起部１ｂ’が形成されている。
【００３４】
この突起部１ｂ’は、スタンド部材１’が回動され、キーボード部２０の底面２０Ａとスタンド部材１’の端部１ｃ’がテーブル等の平面Ｔに接地された際に、接地面Ｔと微小な距離（例えば、０．５ｍｍ程度）を置いて対向する高さに設定されている。
【００３５】
このスタンド構造Ｓ’の使用方法は、前記スタンド構造Ｓと同じである。即ち、図５（ａ）に示すように、スタンド部材１’が収納部２’に収納された状態から、図５（ｂ）に示すように、スタンド部材１’を引き起こして、回動規制部２０ｂに当接するまで回動させる。そして、キーボード部２０の底面２０Ａとスタンド部材１’の端部が接地されるようにテーブル等の平面Ｔに電子辞書装置Ｅを載置する。
【００３６】
この載置状態において、電子辞書装置Ｅは、スタンド部材１’によって、開放された表示パネル部１０側への傾倒が防止されるので、例えば重量バランスがキーボード部２０に比して表示パネル部１０の方が大きくなっている場合でも、電子辞書装置Ｅ自体が開放された表示パネル部１０側に倒れてしまう事態を防止することができ、使用時の安定性を高めることができ、また、スタンド部材１’は接地面と微小な距離を置いて対向する突起部１ｂをスタンド部材１’の全幅に亘って有しているので、電子辞書装置Ｅの使用時に上方から押圧力が加わった場合にも、この突起部１ｂ’の先端が接地面Ｔと当接して押圧力を吸収、分散することにより、スタンド部材１自体が破損することをより確実に防止することができる。
【００３７】
なお、その他の構成についても本発明の技術的範囲を越えない範囲で適宜変更可能であることはいうまでもない。
【００３８】
例えば、本実施形態では、スタンド部材１，１’をプラスチックで構成する場合について述べたが、これに限らず、弾性を有する材料（金属等）で構成することもできる。
【００３９】
また、本実施形態では、スタンド構造Ｓ，Ｓ’を電子辞書装置Ｅに設ける場合について述べたがこれに限らず、表示パネル部１０とキーボード部２０とをヒンジ部３０を介して開閉可能に折り畳む構造を有する携帯型電子機器であれば、例えば、電子メール入力装置やＰＤＡ等にも同様に適用可能である。
【００４０】
【発明の効果】
以上説明したように、本発明は、表示パネル部とキーボード部とをヒンジ部を介して開閉可能に折り畳む構造を有する携帯型電子機器において、携帯型電子機器の使用時に該機器自体が、開放された前記表示パネル部側に傾倒するのを防止するためのスタンド構造であって、前記キーボード部の底面にあって、開放された前記表示パネル部側に回動可能に設けられるスタンド部材と、前記キーボード部の底面に形成され、該スタンド部材の不使用時において該スタンド部材を収納する収納部とから構成され、前記スタンド部材は、前記キーボード部の底面および該回動されたスタンド部材の端部が接地された状態において、前記キーボード部のスタンド部材側の端部が接地面から所定間隙をもって離間される位置で回動を規制する回動規制手段と、前記回動規制手段によって回動が規制された状態において、キーボード部のスタンド部材側の端部と接地面との間隙にあって、該接地面と微小な距離を置いて対向する突起部とを有するようにしたので、携帯型電子機器の使用時に、キーボード部の底面に設けられたスタンド部材を回動させて、前記キーボード部の底面および回動されたスタンド部材の端部を接地させた状態とすることにより、重量バランスがキーボード部に比して表示パネル部の方が大きくなっている場合でも、携帯型電子機器自体が開放された表示パネル部側に傾倒してしまうのを防止することができるという効果がある。
【００４１】
また、スタンド部材は接地面と微小な距離を置いて対向する突起部を有しているので、携帯型電子機器の使用時に上方から不用意な力が加わった場合にも、この突起部の先端が接地面と当接して力を吸収することにより、スタンド部材自体が破損することを防止することができるという効果がある。
【図面の簡単な説明】
【図１】実施形態に係るスタンド構造を備える折り畳み式携帯型電子機器を示す平面図である。
【図２】実施形態に係るスタンド構造を備える折り畳み式携帯型電子機器を示す側面図である。
【図３】実施形態に係るスタンド構造の要部を示す底面図である。
【図４】実施形態に係るスタンド構造の構成および動作を示す側面図である。
【図５】他の実施形態に係るスタンド構造を示す底面図である。
【図６】従来の折り畳み式携帯型電子機器を示す側面図である。
【符号の説明】
Ｓ，Ｓ’   スタンド構造
Ｅ    電子辞書装置（折り畳み式携帯型電子機器）
１，１’    スタンド部材
１ａ，１ａ’軸受部
１ｂ，１ｂ’突起部
１ｃ，１ｃ’端部
２，２’    収納部
３          回転軸
１０    表示パネル部
Ｐ      液晶パネル装置
２０    キーボード部
２０Ａ  底面
２０ａ，２０ｂ  回動規制部
２１    操作キー
Ｔ  接地面
【図１】
0003779189.tif 000002
【図２】
0003779189.tif 000003
【図３】
0003779189.tif 000004
【図４】
0003779189.tif 000005
【図５】
0003779189.tif 000006
【図６】
0003779189.tif 000007